(57)【要約】 【課題】  一般の歩行者の歩行に際し、足に苦痛を与えず快適に歩行できるようにすると共に、視覚障害者に対しては確実に注意喚起又は移動方向を誘導することができる点字ブロックを提供する。【解決手段】  歩道路面に埋設される埋設部と、歩道路面上に突出する凸部を有する表示部とを備えた点字ブロックであって、上記埋設部と上記表示部は、所定の硬度を有すると共に歩行者に踏まれた場合に弾性変形する素材により一体成型されている。【選択図】  図１
0003172872.tif 000002
【実用新案登録請求の範囲】
【請求項１】
歩道路面に埋設される埋設部と、歩道路面上に突出する凸部を有する表示部とを備えた点字ブロックであって、上記埋設部と上記表示部は、所定の硬度を有すると共に、歩行者に踏まれた場合には弾性変形しうる素材により一体成型されていることを特徴とする点字ブロック。
【請求項２】
上記凸部は可撓性を有し、歩行者により踏まれ、歩行者の体重が掛った場合に収縮変形すると共に歩行者の体重が作用しなくなった場合には元の形状に復元する弾性ゴム素材により形成されていることを特徴とする請求項１記載の点字ブロック。
【請求項３】
上記凸部は、中実に形成されていることを特徴とする請求項２記載の点字ブロック。
【請求項４】
上記凸部は、内部に中空部を有することを特徴とする請求項２記載の点字ブロック。
【請求項５】
上記凸部は、点字部又は線字部であることを特徴とする請求２記載の点字ブロック。
【考案の詳細な説明】
【技術分野】
【０００１】
本考案は、点字ブロックの改良に関する。
【背景技術】
【０００２】
一般に、舗装された歩行路面には、視覚障害者が歩行路面を認識できるように点字ブロックが埋設されている。
【０００３】
従来の点字ブロックは、コンクリートにより形成され、警告を示す点字部又は移動の方向を誘導する線字部が上面に凸部として形成されたものが一般的である。
【０００４】
このような従来の点字ブロックにあっては、全体がコンクリートにより形成されていることから、上記点字部又は線示部を視覚障害者を含めて歩行者が踏んだ場合、足に衝撃があると共に、点字部及び線示部が凸部であることから歩行が不安定になり歩きにくい、という不具合が存していた。
【０００５】
特に、ハイヒールの靴を履いた女性の歩行者は、ヒールが点字部又は線示部に引かかったり、点字部又は線示部上に乗ったヒールが不安定なために足首を捻挫する場合もあり、また、男性の歩行者であっても、点字部又は線示部上を歩くと不安定で歩きにくいことから、点字ブロックを避けて歩行する場合が多い。
【０００６】
この場合、点字ブロックが埋設されている場所が広い場合には、点字ブロックを回避して歩行することもできるが、歩行路面が狭い場合には、回避して歩行することもできず、非常に歩きにくい、という不具合が存していた。
【考案の開示】
【考案が解決しようとする課題】
【０００７】
本考案はこのような従来からの不具合を解決するためのものであって、その課題は、一般の歩行者の歩行に際し、足に苦痛を与えず快適に歩行できるようにすると共に、視覚障害者に対しては確実に注意喚起又は移動方向を誘導することができる点字ブロックを提供することにある。
【課題を解決するための手段】
【０００８】
上記課題達成のため、請求項１記載の考案にあっては、歩道路面に埋設される埋設部と、歩道路面上に突出する凸部を有する表示部とを備えた点字ブロックであって、上記埋設部と上記表示部は、所定の硬度を有すると共に歩行者に踏まれた場合に弾性変形する素材により一体成型されていることを特徴とする。
【０００９】
従って、請求項１記載の考案にあっては、路面上に配置される表示部の凸部は所定の硬度を有することから、視覚障害者の人々が歩行する場合に、上記凸部を認識することができると共に、視覚障害者を含め歩行者は、凸部を踏んだ場合には凸部は弾性変形する。
【００１０】
請求項２記載の考案にあっては、上記凸部は可撓性を有し、歩行者により踏まれ、歩行者の体重が掛った場合に収縮変形すると共に歩行者の体重が作用しなくなった場合には元の形状に復元する弾性ゴム素材により形成されていることを特徴とする。
【００１１】
従って、請求項２記載の考案にあっては、歩行者が上記凸部を踏んだ場合には収縮変形することから足への衝撃を吸収できると共に、足を離した場合には、凸部としての元の形状に復帰する。
【００１２】
請求項３記載の考案にあっては、上記凸部は、中実に形成されていることを特徴とする。
【００１３】
請求項４記載の考案にあっては、上記凸部は、内部に中空部を有することを特徴とする。
【００１４】
請求項５記載の考案にあっては、上記表示部は点字部又は線字部であることを特徴とする。
【考案の効果】
【００１５】
請求項１記載の考案に係る点字ブロックにあっては、上記埋設部と上記表示部は、所定の硬度を有すると共に歩行者に踏まれた場合に弾性変形する素材により一体成型されているため、視覚障害者の人々が歩行する場合に、上記凸部からなる点字部又は線示部を認識することができると共に、視覚障害者を含め歩行者は、点字部又は線示部を踏んだ場合には、歩行者の体重により点字部又は線示部は弾性変形する。
【００１６】
従って、請求項１記載の考案にかかる点字ブロックにあっては、従来の点字ブロックのように、埋設部がコンクリートにより形成されていないことから、歩行者が点字ブロックを踏んで歩行した場合であっても、踏みつけた場合の足への衝撃は少なく、足に苦痛を覚えることがなく、快適に歩行することができる。
【００１７】
特に、ハイヒールの靴を履いた女性の歩行者が表示部上を歩行した場合であっても、歩行者に踏まれた場合に弾性変形するように構成されていることから、ヒールが点字部又は線示部に引かかったり、点字部又は線示部上に乗った際に、ヒールが不安定なために足首を捻挫するという事態を最小限に止めることができる。
【００１８】
また、男性の歩行者の場合、従来よりも、安定して点字ブロック上を歩行することができる。その結果、点字ブロックが埋設されている場所が狭い場合であって、回避して歩行することができない、というような状況下にあっても、歩行者に負担をかけることのない歩行を可能にする。
【００１９】
請求項２記載の考案にあっては、上記点字部又は線示部を形成する凸部は可撓性を有し、歩行者により踏まれ、歩行者の体重が掛った場合に収縮変形すると共に歩行者の体重が作用しなくなった場合には元の形状に復元する弾性ゴム素材により形成されていることを特徴とする。
【００２０】
従って、請求項２記載の考案にあっては、請求項１記載の考案の効果に加えて、点字部又は戦時部が歩行者により踏まれて弾性変形した後、点字部又は線示部は元の形状に復帰することから、その後、視覚障害者が歩行した場合であっても、有効に視覚障害者に対して必要な警告を発することができる。その結果、歩行の安全性及び快適性の要請と視覚障害者の保護の要請を同時に充たすことができる。
【００２１】
請求項４記載の考案にあっては、上記凸部は、内部に中空部を有することから、歩行者が歩行の際に踏んだ場合に、より変形しやすく、さらに歩行の障害とならない点字ブロックを提供することができる。
【００２２】
請求項５記載の考案にあっては、点字部又は線示部が凸部により形成されていることから、視覚障害者の方へ「止まれ」という警告を発する点字部、及び「進め」という誘導を行う誘導部のいずれもが弾性変形しうるように構成されていることから、視覚障害者の方を含め、歩行者は快適に歩行できると共に、特に、視覚障害者の方への必要な警告を確実に行うことができる。
【図面の簡単な説明】
【００２３】
【図１】本考案に係る点字ブロックであって、点字部が設けられた場合の一実施の形態を示す斜視図である。
【図２】本考案に係る点字ブロックであって、線示部が設けられた場合の一実施の形態を示す斜視図である。
【考案を実施するための最良の形態】
【００２４】
以下、添付図面に示す実施の形態に基づき、本考案を詳細に説明する。
図１に示すように、本実施の形態に係る点字ブロック１０は、全体薄型直方体に形成され、厚さ方向の略全域に亘って形成され、歩道路面に埋設される埋設部１２と、上記埋設部１２の上部に形成され、歩道路面上に突出する凸条部からなる線字部１３を有する表示部１４とを備えている。
【００２５】
上記線字部１３は視覚障害者に対して、移動、歩行の方向を誘導するように構成されている。本実施の形態にあっては、上記埋設部１２と上記表示部１４とは、所定の硬度を有すると共に歩行者に踏まれた場合に弾性変形する素材、例えば、弾性ゴムにより一体成型されている。
【００２６】
また、本実施の形態にあっては、上記線字部１３は、可撓性を有し、歩行者により踏まれ、歩行者の体重が掛った場合に収縮変形すると共に歩行者の体重が作用しなくなった場合には元の形状に復元する弾性ゴム素材により形成されている。
【００２７】
上記素材に関しては、例えば、使用済みのゴム製のタイヤを粉砕して、粉砕後の弾性ゴム小片を適宜の合成樹脂をバインダーとして成形することにより構成したものを採用することができる。
【００２８】
本実施の形態にあっては、上記凸条部からなる線示部１３は、中実に形成されているが、線示部１３を形成する弾性ゴムの硬度に応じて中空に形成することもできる。
【００２９】
図２は本考案に係る点字ブロックの他の実施の形態を示す。
本実施の形態に係る点字ブロック１７は、歩道路面上に突出する凸部からなる点字部１６を有する表示部１４を備えており、上記点字部１６は視覚障害者に警告を報知するように構成されている。他の構成は、上記実施の形態に係る点字ブロック１０と同様である。
【００３０】
以下、上記実施の形態に係る点字ブロック１０、１７の作用について説明する。
上記実施の形態に係る点字ブロック１０、１７は、上記埋設部１２と上記表示部１４は、所定の硬度を有すると共に歩行者に踏まれた場合に弾性変形する素材により一体成型されているため、視覚障害者の人々が歩行する場合に、上記凸部からなる点字部１３又は線示部１６を認識することができると共に、視覚障害者を含め歩行者は、凸部からなる線示部１３又は点字部１６を踏んだ場合には、歩行者の体重により凸部からなる点字部１３又は線示部１６は弾性変形する。
【００３１】
この場合、従来の点字ブロックのように、埋設部１２がコンクリートにより形成されていないことから、歩行者が点字ブロック１０、１７を踏んで歩行した場合であっても、踏みつけた場合の足への衝撃は少なく、足に苦痛を覚えることがなく、快適に歩行することができる。
【００３２】
特に、ハイヒールの靴を履いた女性の歩行者が表示部１４上を歩行した場合であっても、凸部からなる線示部１３及び点字部１６は、歩行者に踏まれた場合に弾性変形するように構成されていることから、ヒールが線示部１３又は点字部１６に引っかかったり、線示部１３又は線示部１６上に乗った場合に、ヒールが不安定なとなり足首を捻挫する、という事態を有効に防止することができる。
【００３３】
また、男性の歩行者の場合も、従来よりも、安定して点字ブロック１０、１７上を歩行することができる。その結果、点字ブロック１０、１７が埋設されている場所が狭い場合であって、回避して歩行することができない、というような状況下にあっても、歩行者に負担をかけることのない歩行を可能にする。
【００３４】
また、上記凸部からなる線示部１３又は点示部１６は可撓性を有し、歩行者により踏まれ、歩行者の体重が掛った場合に収縮変形すると共に歩行者の体重が作用しなくなった場合には元の形状に復元する弾性ゴム素材により形成されていることから、線示部１３又は点字部１６が歩行者により踏まれて弾性変形した後、線示部１３又は点字部１６は元の形状に復帰することから、その後、視覚障害者が歩行した場合であっても、有効に視覚障害者に対して必要な警告を発することができる。
【産業上の利用可能性】
【００３５】
本考案は、広く、点字ブロックに広く適用できることから産業上の利用可能性を有している。
【符号の説明】
【００３６】
１０  点字ブロック
１２  埋設部
１３  線示部
１４  表示部
１６  点字部
１７  点字ブロック
【図１】
0003172872.tif 000003
【図２】
0003172872.tif 000004